(57)【要約】  本発明は、ブロー成形ポリエステルケーシング（２）と、容器から液体を分注するためのバルブ（４）と、推進剤を導入するための入口と、を含む飲料およびオイルなどの液体用容器（１）に関する。ケーシング（２）は延伸ブロー成形ポリエステルシェル（９）によって封入されている。【選択図】図１Ａ
2013528537.tif 000002
【特許請求の範囲】
【請求項１】
液体用容器（１）であって、ブロー成形ポリエステルケーシング（２）と、当該容器から前記液体を分注するためのバルブ（４）と、推進剤を導入するための入口と、を含む飲料およびオイルなどの液体用容器（１）において、前記ケーシング（２）が延伸ブロー成形ポリエステルシェル（９）によって封入されていることを特徴とする容器（１）。
【請求項２】
請求項１に記載の容器（１）において、少なくとも前記ケーシング（２）が加圧されると前記シェル（９）が前記ケーシング（２）を支持することを特徴とする容器（１）。
【請求項３】
請求項１または２に記載の容器（１）において、前記シェル（９）が、例えば、前記シェルの周囲に沿って分割された２つの別個の部分（９Ａ、９Ｂ）を含み、前記ケーシング（２）が加圧されると前記部分の少なくとも１つ（９Ａ）が前記ケーシング（２）上にクランプ嵌合されることを特徴とする容器（１）。
【請求項４】
請求項３に記載の容器（１）において、前記残りの部分（９Ｂ）が前記ケーシング上にクランプ嵌合された前記部分（９Ａ）の開端部に固定されることを特徴とする容器（１）。
【請求項５】
請求項３または４に記載の容器（１）において、前記２つの部分が好ましくは少なくとも１センチメートル重なることを特徴とする容器（１）。
【請求項６】
請求項１〜５のいずれか１項に記載の容器（１）において、当該容器（１）の破裂強度が、前記ケーシング（２）の破裂強度よりも少なくとも２０％、好ましくは少なくとも３０％高いことを特徴とする容器（１）。
【請求項７】
請求項１〜６のいずれか１項に記載の容器（１）において、５バールの内圧と４０℃に２日間さらされた場合の当該容器の相対的膨張が３％未満、好ましくは２％未満、より好ましくは１．５％未満であることを特徴とする容器（１）。
【請求項８】
請求項１〜７のいずれか１項に記載の容器（１）において、前記ケーシング（２）が少なくとも１０リットルの内容積を有し、前記ケーシング（２）の長さ対幅比（Ｌ／Ｄ）が１．５超、好ましくは２超である、および／または当該容器（１）が、当該容器（１）の高さの少なくとも２５％、好ましくは少なくとも４０％、より好ましくは少なくとも５０％にわたって延在する円筒部（２Ａ）を含むことを特徴とする容器（１）。
【請求項９】
請求項１〜８のいずれか１項に記載の容器（１）において、前記ケーシング（２）と前記シェル（９）との合計壁厚が０．８ｍｍ超、好ましくは１．０ｍｍ超であることを特徴とする容器（１）。
【請求項１０】
請求項１〜９のいずれか１項に記載の容器（１）において、前記シェル（９）がその周囲のまわりにおいてエンボス加工されるため、半径方向における実際の厚さまたは少なくとも有効厚さが増加することを特徴とする容器（１）。
【請求項１１】
請求項１〜１０のいずれか１項に記載の容器（１）において、前記ケーシングの内部に位置する、前記液体を含むため、および前記バルブ（４）と連通するための、可撓性材料で作成された液密の内部容器（４）を含むことを特徴とする容器（１）。
【請求項１２】
請求項１１に記載の容器（１）において、前記ケーシング（２）が、二酸化炭素、酸素および／または窒素に対して不透過性であることを特徴とする容器（１）。
【請求項１３】
請求項１〜１２のいずれか１項に記載の容器（１）において、前記ケーシング（２）に加圧気体が予め充填されていることを特徴とする容器（１）。
【請求項１４】
請求項１〜１３のいずれか１項に記載の容器（１）において、前記ケーシング（２）および前記シェル（９）のポリエステルが、ポリエチレンテレフタレート（ＰＥＴ）、好ましくは再生ポリエチレンテレフタレート（ＰＥＴ）であることを特徴とする容器（１）。
【請求項１５】
請求項１〜１４のいずれか１項に記載の容器（１）において、前記ケーシング（２）および前記シェル（９）が透明であることを特徴とする容器（１）。
【請求項１６】
請求項１〜１５のいずれか１項に記載の容器（１）において、前記シェル（９）が、少なくとも１つのブロー成形ハンドル（１０）および／またはブロー成形脚部（１２）を含むことを特徴とする容器（１）。
【発明の詳細な説明】
【技術分野】
【０００１】
本発明は、ビール、清涼飲料およびワイン等の飲料ならびに食用油等の比較的高粘度の液体などの液体用容器に関する。この容器は、ブロー成形ポリエステルであり、好ましくは球形または偏球形のケーシングと、容器から液体を分注するためのバルブと、推進剤を導入するための入口と、を含む。通常、入口はバルブに一体化されている。
【背景技術】
【０００２】
欧州特許第８６２  ５３５号明細書は、可撓性のある、耐圧性の材料で作成された外部の、好ましくは楕円形のケーシングと、外部ケーシングの内部に配置された、可撓性材料で作成されたガス密の内部ケーシングと、内部ケーシングを充填するための充填接続部とを含む流体用容器に関する。
【０００３】
欧州特許第１  ７３６  ４２１号明細書は、流体、特に水またはビールなどの液体用軽量容器に関する。この容器は、球形または偏球形のケーシングと、容器に流体を充填するためのバルブ部と、ケーシングを取り囲む、通常、厚紙で作成された外部パッケージとを含む。類似の軽量容器が欧州特許第２  ０３８  １８７号明細書から公知である。一実施形態においては、ケーシングはブロー成形ＰＥＴで作成される。
【０００４】
使用時、液体用容器の多くが高い内圧にさらされる。例えば、ガスを含む飲料は、ガスが飲料から抜けることを防ぐために、通常、１〜４バールの範囲の高圧（過圧力）で維持されるべきである。また、比較的高粘度を有する液体、および低い位置から、例えばセラーから分注される液体では、摩擦圧力および静圧をそれぞれ克服するために容器内が比較的高圧である必要がある。高温および安全ガイドラインの不遵守もまた高い内圧をまねくおそれがある。
【０００５】
分注時、容器の液体内容物は徐々に加圧気体に入れ替えられる。加圧気体は高いエネルギ含有量を有し、これは、容器が切られたり、穴が開けられたり、そうでなければ損傷および破損した場合、容器が爆発的な状態で破裂することを意味する。爆発的な破裂により破片が生じ、近くにいる人が聴力を損なう等の怪我をするおそれがある。
【０００６】
実際に、爆発的な破裂は容器が分注のために設置されている際に、例えば、タバコ、冷却器の熱風出口または棒の後側の鋭利部への接触を通じて、もしくは刺激の強い（苛性）洗浄剤への曝露から生じる応力き裂により発生する。爆発的な破裂は、また、使用者が空の容器を廃棄したい場合に安全ガイドラインを無視して容器をナイフまたは他の道具で切ったり刺したりすると発生する。
【０００７】
本発明の目的は、比較的軽量であり、さらには、爆発的な破裂に耐える容器を提供することである。
【０００８】
この目的のため、本発明による容器は、ケーシングが延伸ブロー成形ポリエステルシェルによって封入されていることを特徴とする。一実施形態においては、少なくともケーシングが加圧されるとシェルがケーシングを支持する。例えば、内圧によってケーシングがシェルに対して押し動かされる。
【０００９】
延伸ブロー成形ポリエステルシェルは、シェルおよびケーシングが切られたり、穴が開けられたり、そうでなければ損傷した後も容器の比較的高い保持強度を提供するため、容器が爆発するしきい値圧力が引き上げられることが分かっている。このしきい値未満では、通常、ケーシング内部の加圧気体はむしろ吹き出すため容器が爆発することとなる。加えて、シェルによって、厚紙またはＨＤＰＥ等のシェルを有する容器に比べて軽い設計が可能となる、および／または、以下により詳細に説明するような、特に外部機能、例えば、安定基部に関して設計の自由が増す。
【００１０】
一実施形態においては、容器の破裂強度は、ケーシングのみの破裂強度に比べて少なくとも２０％、好ましくは少なくとも３０％高い。破裂強度は、容器それぞれケーシングが２０℃のとき、および圧力が１０秒毎に１バールで徐々に増加した場合に破裂する圧力（バール）と定義される。
【００１１】
さらなる一実施形態では、５バールの内圧と４０℃に２日間さらされた場合の容器の相対的膨張は、２バールの内圧と２０℃に２日間にさらされた同一の容器の膨張に比べて３％未満、好ましくは２％未満、より好ましくは１．５％未満高い。低膨張は低溶解性のガスを含む液体に特に適切である。例えば、窒素（Ｎ２）は水に対する溶解性が低いため、少量の窒素しかビールに添加することができない。例えば、高温におけるクリープにより容器の容積がほんのわずかな割合で恒久的に増加した場合、大部分の窒素がビールから抜け、味、口当たりおよびビールの分注挙動が低下する。この現象は本発明によるシェルによって低減することができる。
【００１２】
付随的に、他のポリマーで作成されたケーシングおよびシェルを含む容器においても有用な一実施形態では、シェルは、例えば、シェルの周囲に沿って分割された２つの別個の部分を含む。この部分の少なくとも１つは、好ましくは上部部分であり、ケーシングが加圧されるとケーシング上にクランプ嵌合される。シェルはプリフォームからブロー成形することができるため、ケーシングをシェルに挿入し、その後、シェルを閉じるために必要な蓋などの追加の手段をなくしてもよい。この文脈において、クランプ嵌合は、シェルの部分をケーシングから分離するために、少なくとも３００Ｎ、好ましくは、少なくとも５００Ｎの軸方向の力が必要であることを意味する。すなわち、２０リットルもしくは場合によっては３０リットルまたは５０リットルの飲料をシェルによって保持している容器を持ち上げる場合、ケーシングはシェルに対して摺動しない。
【００１３】
シェルの残りの部分は、ケーシング上にクランプ嵌合された部分の底部側に、例えば、クランプ、接着および／または溶接によって固定することができる。
【００１４】
一実施形態においては、２つの部分は、好ましくは少なくとも１センチメートル、より好ましくは少なくとも５センチメートル重なっている。この重なりは、例えば、容器の円筒部全体にわたって延在し、その結果、容器のこの部分に３層構造が生じてもよい。
【００１５】
シェルの残りの部分の代わりに、任意選択で、異なる材料で作成された、別個に形成された脚部をシェル内におよび／またはケーシングに固定することができる。
【００１６】
さらなる一実施形態では、シェルの１つの部分の縁がシェルのもう一方の部分の縁に重なっている。さらなる一実施形態では、シェルの部分はケーシングに接着されているか、テープで留められている。
【００１７】
延伸ブロー成形されたシェルは、細長容器、例えば、比較的高い長さ対幅比（Ｌ／Ｄ）および／または比較的長い円筒部を有する容器であっても爆発的な破裂を抑制または防止する。そのような形状によって、物流が容易になる（例えば、より多くの容器をパレット上に配置することができる）とともに冷却が促進される（例えば、標準サイズの冷蔵庫に４つの容器が入る）。一実施形態においては、ケーシングは、少なくとも１０リットル、好ましくは少なくとも１５リットル、より好ましくは少なくとも２０リットルの内容積を有し、ケーシングの長さ対幅比（Ｌ／Ｄ）は１．５超、好ましくは２超である。別の実施形態では、容器は、容器の高さの少なくとも２５％、好ましくは少なくとも４０％、より好ましくは少なくとも５０％にわたって延在する円筒部を含む。
【００１８】
一実施形態においては、ケーシングおよびシェル両方の壁厚は、０．１〜１．０ｍｍの範囲、好ましくは０．３〜０．６ｍｍの範囲であり、２．０ｍｍまでの合計壁厚になる。例えば、シェルの部分が互いに重なる場合、局所的にさらに３．０ｍｍまでになる。これは現在のところ単一のプリフォームの吹き込みでは達成することができない。
【００１９】
半径方向における実際の厚さまたは少なくとも有効厚さを増加させるためにシェルをその周囲のまわりにおいてエンボス加工した場合、突き刺し抵抗はさらに向上する。また、エンボス加工によって、容器が例えばトラックから倉庫まで粗面上を転がされる場合に容器が破損するリスクが低下する。
【００２０】
さらなる一実施形態では、容器に加圧気体が充填され、飲料は充填されていない。すなわち、容器は充填前に、例えば、１．５バール超の圧力の空気または二酸化炭素および／または窒素で加圧される。したがって、容器にビールなどのガスを含む液体をすぐに充填することができる。
【００２１】
国際公開第００／７８６６５号パンフレットは、ビールを保持するための、ブロー成形ＰＥＴで作成された内部中空シェルと、内部シェルを封入しかつ支持する成形高密度ポリエチレン（ＨＤＰＥ）で作成された外部中空シェルと、内部シェルの底部内部領域から外部シェルの上部にある分注出口まで延びるディスペンサチューブを含むスピア構造とを含むビール容器に関する。容器からビールが空になると、外部シェルは内部シェルとスピア構造とから容易に分離することができ、ＨＤＰＥとＰＥＴとを別々にリサイクルすることが可能となる。この種の３０リットル樽は、通常、約３キログラムの重さがある。さらに、より高圧でガスを保持する容器の爆発的な破裂を防止するとなると押出ブロー成形ＨＤＰＥは劣っている。
【００２２】
米国特許出願公開第２０１０／００７７７９０号明細書は、外部容器とインナライナとを含むプラスチック製ビール樽に関する。ライナを封入するために取り外し可能な蓋が容器の開口部上に固定される。使用時、蓋を取り外すことができ、容器内に配置された氷は直接ライナ上にあり、ライナの内容物の急速冷却を行うためにライナと容器との間の間隙に氷が流れ込む。ライナはＰＥＴであってもよい。容器および蓋は、ＨＤＰＥ、ポリプロピレンまたは別の適切な材料であってもよい。
【００２３】
欧州特許第３８９  １９１号明細書は、ビールなどの飲料の運搬、貯蔵および分注用の容器に関する。この容器は、ＰＥＴなどのプラスチック製の外部容器（１２）と、積層ポリエチレンなどの可撓性材料製の内部バッグ（２０）とを含む。
【００２４】
本発明の枠組み内において、「延伸ブロー成形」とは、ブロー成形、したがって、周方向（フープ）方向と軸方向との両方におけるプリフォームの延伸を意味する。
【００２５】
「偏球」という用語は、丸い角を有する円形または正方形または矩形もしくは長円形または楕円形の、その主軸または短軸を中心とした半回転によって得られるあらゆる形状を含む。
【００２６】
ここで、本発明の好適な実施形態を示す図面を参照して本発明をより詳細に説明する。
【図面の簡単な説明】
【００２７】
【図１】図１Ａは、本発明による容器の断面を示す。図１Ｂは、本発明による容器の詳細を示す
【図２】図２は、図１Ａおよび図１Ｂの容器の変形形態を示す。
【図３】図３は、図１Ａおよび図１Ｂの容器の変形形態を示す。
【図４】図４は、図１Ａおよび図１Ｂの容器を積み重ねたものを示す。
【図５】図５Ａは、安定性の強化を提供する基部を有する、本発明による容器の断面図を示す。図５Ｂは、安定性の強化を提供する基部を有する、本発明による容器の底面図を示す。
【図６】図６Ａは、安定性の強化を提供する基部を有する、本発明による容器の断面図を示す。図６Ｂは、安定性の強化を提供する基部を有する、本発明による容器の底面図を示す。
【図７】図７Ａ〜７Ｃは、増加した壁厚を有する円筒部を含む、本発明による容器の断面を示す。
【発明を実施するための形態】
【００２８】
図面は必ずしも均一の縮尺ではなく、本発明の理解に必要ない詳細は省略されうる。さらに、少なくとも実質的に同一の要素または少なくとも実質的に同一の機能を予め形成する要素は同じ符号で示す。
【００２９】
図１は、ガスを含む飲料、特にビール用の容器１を示す。容器１は、ポリエステルのプリフォーム、特に、ＰＥＴ（ポリエチレンテレフタレート）の延伸ブロー成形によって作成したケーシング２を含む。ケーシング２は、実質的に円筒状の中間部２Ａと、上部ドーム２Ｂと、底部ドーム２Ｃとを含む。上部ドーム２Ｂは、プリフォームの非変形部分によって形成された中心開口部３を有する。
【００３０】
容器から飲料を分注するためのバルブ部４は開口部３にスナップ嵌めされている。この例では、バルブ部４は、外部ジャケット５と、外部ジャケット６の内部に摺動可能に受容される内部ジャケット６と、さらに、内部ジャケット６の内部に摺動可能に受容される閉鎖要素７と、を含む。内部ジャケットおよび閉鎖要素はＰＥまたはＰＰなどのポリオレフィンで作成することができる。一般に、バルブ部は好ましくはその全体がＰＡまたはＰＥＴで作成されることが好ましい。このバルブ部および他の適切なバルブ部のさらなる詳細については、国際公開第００／０７９０２号パンフレットを参照されたい（特に図４Ａおよび図４Ｂと併せて８ページの１２行目以降を参照のこと）。
【００３１】
この例では、飲料を受容するためのガス密のバッグ８がバルブ部４に連結され、ケーシング２の内部に位置している。バッグ８は、２つの、この例では、多角形の、可撓性のあるガス密および液密のラミネートのシートを含む。好ましくは、ラミネートは、密閉層（例えばＰＥまたはＰＰ）と、障壁層（例えばアルミニウム）と、１つまたは複数のさらなる層（例えばＰＡおよび／またはＰＥＴ）と、を含む。それらはへりに沿って、例えば、溶接によって互いに密閉されている。一般に、障壁機能はケーシングと共有またはそれに移すことができ、ケーシングを二酸化炭素、酸素および／または窒素に対して不透過性にする。この目的のために、ケーシングは、添加剤、コーティングまたは複数の層を含んでもよい。
【００３２】
本発明によれば、ケーシング２は延伸ブロー成形ポリエステルシェル９によって封入されている。図１に示す例では、シェルは、周囲に沿って、すなわちシェル９のフープ方向に分離された２つの部分９Ａ、９Ｂを含む。加圧されると、ケーシング２は膨張し、シェル９の内壁にしっかりと当接する。したがって、部分９Ａ、９Ｂは両方ともケーシング２上にクランプ嵌合されている。
【００３３】
シェルはケーシングに使用されたものと類似するプリフォームからブロー成形されるが、異なる縁を有している。また、内圧に耐えるため、および飲料を含むバッグの損傷を避けるため、好ましくは、シリンダと２つのドームとによって画定される滑らかな形状を有するべきであるケーシングとは対照的に、シェルに追加の機能性を提供する１つまたは複数の特徴を提供してもよい。
【００３４】
例えば、シェルは、特に上部部分に画定される１つまたは複数のハンドルを含んでもよい。そのようなハンドルの例には、図１Ａ、図３および図４に示すようなシェル９の周囲にわたる切欠き部１０、またはシェルの両側にある２つのグリップ、または図２に示すような、シェルの上縁から延びる半径方向のフランジ１１を含む。
【００３５】
図１Ａ、図３および図４に示す例では、シェルの上部部分９Ａは、バルブ部のまわりに延在し、これを保護するつば１２をさらに含む。
【００３６】
基部９Ｂには容器の安定した直立姿勢を可能にする特徴を設けることができる。この例では、シェルは、清涼飲料用の１．５リットルボトルに使用されるものと類似する花弁状の脚部１２を含む。安定基部の提供に加えて、脚部は、容器が落下した場合に容器を保護する崩壊領域（ｃｒｕｍｂｌｅ  ｚｏｎｅ）を提供する。
【００３７】
さらに、シェルの上部および基部は、好ましくは、図４に示すような、容器を積み重ね可能にする形状にされる。基部は、花弁状の基部のつば、またはつばに相当する（不連続の）凹部を画定するロブの相補形である凹部を含む。
【００３８】
容器は約５７ｃｍの全長と約２４ｃｍの幅を有し、２．４のＬ／Ｄになる。円筒部は容器の全長の約６５％の長さを有する。
【００３９】
シェルが、半径方向の実際の厚さまたは少なくとも有効厚さが増加するようにその周囲のまわりにおいてエンボス加工された場合、突き刺し抵抗はさらに向上する。一般に、エンボス加工には、シェルの外部表面にある、例えば、刻み付きの表面を生じる多数の小さな突起物を含んでもよい、および／または容器の周囲のまわりに複数のリングおよび／または軸方向に延びる複数のリブを含んでもよい。また、エンボス加工は、他の、追加の機能を提供してもよい。一実施形態においては、シェルは、シェルの周囲のまわりに、軸方向に離間して延びる少なくとも２つのリングを含む。そのようなリングは、容器を、例えばトラックから倉庫に転がすことを容易にし、地面の小さな鋭利物によって加えられる内部ケーシングの損傷のリスクを低減する。
【００４０】
図５Ａおよび図５Ｂは、本発明による容器のさらなる実施形態を示す。この実施形態では、ケーシング２は延伸ブロー成形ポリエステルシェル９によって再度封入されている。シェルの上部部分がケーシングよりも長くなるように、シェルは、シェルの底部の比較的近傍にある、周囲に沿って、すなわちシェル９のフープ方向に分離された２つの部分９Ａ、９Ｂを含む。その結果、シェルの上部分の下縁はケーシングの底部を越えて延在し、脚部または容器の脚部の一部として機能する。安定性をさらに増加するため、壁は、その有効厚さおよび剛性を増加するため縁において波形であることが好ましいおよび／または壁は実際にシェルの円筒部の壁よりも厚い、好ましくは少なくとも２倍厚い。
【００４１】
基部９Ｂは廃棄するか、脚部の強度および安定性をさらに増加するために使用することができる。この例では、基部部分に、基部の剛性を強化し、さらには容器の安定した直立姿勢を容易にするため、および容器が落下した場合に容器を保護する崩壊領域を提供するための折り目が付いた、半径方向に延びる領域が設けられる。さらに具体的には、基部部分は花弁状の脚部１２を画定し、例えば、シェルの上部部分の底端部の内部に押されて配置されている。基部部分はシェルの上部部分内にクランプ、接着および／または溶接することができる。
【００４２】
図６Ａおよび図６Ｂに示す実施形態では、基部部分は上部部分の底端部に挿入される前に逆向きにされるため、シェルの下縁における壁厚を大幅に増加する、例えば、２倍にする。基部の中央はケーシングの底端部に相補形の形状であるため、比較的広い面積にわたって支持を提供する。
【００４３】
図５Ｂおよび図６Ｂから明らかなように、基部部分の上縁の断面は直径および形状の両方においてシェルの上部部分の下縁の断面と異なる。したがって、シェルは、好ましくは、２つの部分９Ａ、９Ｂ間の移行部を有して形成され、これら部分はそれぞれ、移行部から、例えば、シェル９のフープ方向の２つの（レーザ）切れ目によって分離されている。
【００４４】
図７Ａ〜７Ｃは、ほとんどの点において図１Ａおよび図１Ｂに示す容器に一致するが、約１のＬ／Ｄおよび比較的短い円筒部を有するケーシング２およびシェル９を有する、本発明による容器を示す。シェルはケーシングよりもかなり長く、好ましくはケーシングの円筒部の長さに一致する長さだけ長い。換言すると、シェルの円筒部の長さはケーシングの円筒部の長さの２倍である。シェルが周囲に沿って、すなわちフープ方向に、および好ましくはシェル９の高さの中間点で分離された場合、ケーシングは上半分の内部に固定され、ここでケーシングを含む上半分は下半分内に固定される。シェルの壁厚は円筒部において２倍にされる。
【００４５】
さらに、図７Ａ〜７Ｃに示す容器は、上部開口部のまわりに、容器上へのねじ止め用またはスナップ用の雄ねじまたは環状の突起物、例えばグリップを含む。
【００４６】
上の例では、シェルはケーシングに使用されたものと類似するプリフォームからブロー成形されているが、異なる縁を有している。また、内圧に耐えるため、および飲料を含むバッグの損傷を避けるため、好ましくは、シリンダと２つのドームとによって画定される滑らかな形状を有するべきであるケーシングとは対照的に、シェルに追加の機能性を提供する１つまたは複数の特徴を提供してもよい。
【００４７】
延伸ブロー成形ポリエステルシェルは、シェルおよびケーシングに穴が開けられた場合、容器の比較的高い保持強度を提供することがわかっている。したがって、爆発的な破裂を回避し、ケーシング内部の加圧気体のより漸進的な吹き出しを可能にする。加えて、シェルは耐水性があり、かつ厚紙製のシェルを有する容器に比べて軽く、強い設計を可能にする。増加した強度により、本発明による容器は、高濃度のガス、例えば、７グラム／リットルの二酸化炭素を高温、例えば４０℃で含む飲料用に原則として適している。
【００４８】
さらに、ケーシングとシェルとの両方がプリフォームから延伸ブロー成形されるため、物流を簡略化することができる。例えば、プリフォームとバッグのみを醸造業者に供給することによって、容器を現場で延伸ブロー成形し組み立てることができ、嵩張る運搬が避けられる。
【００４９】
本発明は上記の実施形態に限定されるものではなく、特許請求の範囲の範囲内において多くの方式に変更することができる。例えば、飲料を収容するためのバッグの代わりに、容器に、バルブ部からケーシングの底部まで延びるスピアを備えることができる。
【図１Ａ】
2013528537.tif 000003
【図１Ｂ】
2013528537.tif 000004
【図２】
2013528537.tif 000005
【図３】
2013528537.tif 000006
【図４】
2013528537.tif 000007
【図５Ａ】
2013528537.tif 000008
【図５Ｂ】
2013528537.tif 000009
【図６Ａ】
2013528537.tif 000010
【図６Ｂ】
2013528537.tif 000011
【図７Ａ−７Ｃ】
2013528537.tif 000012
【国際調査報告】
2013528537.tif 000013
2013528537.tif 000014
2013528537.tif 000015